(57)【特許請求の範囲】
【請求項１】
物体側から順に、正の第１群、負の第２群、正の第３群で構成され、物点距離の変化に対し前記第２群のみを光軸に沿って動かすことにより合焦を行い、下記条件式を満足することを特徴とする対物光学系。
｜β｜＞１．８                                                ・・・（１）
０．７＜ｆ1 ／ｆ＜１．０                                      ・・・（２）
１．６２＜ｆ2 ／ｆ1 ＜２．７５                                ・・・（３）
ただし、β：最至近合焦時の光学倍率、
ｆ：全系の焦点距離（遠点合焦点時）、
ｆ1 ：第１群の焦点距離、
ｆ2 ：第２群の焦点距離の絶対値、
である。
【請求項２】
物点距離の変化に対し前記第２群を絞りと一体で光軸に沿って動かすことにより合焦を行い、下記条件式を満足することを特徴とする請求項１記載の対物光学系。
０．２５＜ｆ1 ／ｆ3 ＜０．４５                                ・・・（４）
ただし、ｆ1 ：第１群の焦点距離、
ｆ3 ：第３群の焦点距離、
である。
【請求項３】
内視鏡に用いられることを特徴とする請求項１又は２記載の対物光学系。
【発明の詳細な説明】
【技術分野】
【０００１】
本発明は、対物光学系に関し、特に、合焦機能を有する対物に関するものであり、例えば、近接拡大観察可能な内視鏡対物レンズ、又は、マクロ撮影が可能なデジタルカメラやビデオカメラ、民生用の小型カメラ等の撮影レンズに関するものである。
【背景技術】
【０００２】
近年、医療用内視鏡の分野では、病変の精密診断を行うために近接拡大観察が可能な光学系の要求が強まっている。このような拡大内視鏡対物レンズとして、正負正３群で構成され、負の第２群が動いて近点に合焦を行うタイプのものが、特許文献１から３に開示されている。また、負正負の３群で構成され、正の第２群が動いて合焦を行うタイプのものが、特許文献４に開示されている。
【０００３】
また、診断の精度を向上させるために、内視鏡画像の高画質化が求められており、従来よりも高画素の撮像素子が採用されはじめている。このため、撮像素子の高画素化に対応した高性能な撮像光学系が必要になっている。
【０００４】
一方、内視鏡下で病変部等の生体組織を診断するに際し、内視鏡下で病変部等の部位を顕微鏡下と同等程度の観察レベルまで近接拡大観察ができる、超拡大観察（顕微観察）の光学系の要求も高まってきている。このような内視鏡観察の延長で細胞観察等のための顕微観察ができる内視鏡対物光学系が、特許文献５から８等に開示されている。
【０００５】
従来では、生体組織を顕微観察するためには内視鏡観察によって病変部を特定した後、生検によって細胞の一部を体外に取り出し顕微鏡によって観察するしかなかった。しかし、上記提案によれば、内視鏡観察の延長で、しかも、体内中で細胞観察ができるというメリットがある。
【０００６】
また、デジタルカメラや、ビデオカメラ等の民生品分野の光学系でも、マクロ撮影等の高倍率化と小型化が望まれている。
【特許文献１】特公昭６１−４４２８３号公報
【特許文献２】特開平６−３１７７４４号公報
【特許文献３】特開平１１−３１６３３９号公報
【特許文献４】特開２０００−２６７００２号公報
【特許文献５】特開２００４−３１３７６９号公報
【特許文献６】特開２００４−３１３７７２号公報
【特許文献７】特開２００７−２３３０３６号公報
【特許文献８】特開２００７−２６０３０５号公報
【発明の開示】
【発明が解決しようとする課題】
【０００７】
上記従来技術の中、特許文献２から４、又は、７に記載の光学系は、最近接拡大観察時の倍率が顕微観察ができる程高くない。
【０００８】
特許文献１には、高倍率な拡大内視鏡対物レンズが提案されているが、通常観察時の視野が狭く、病変部を発見するために生体内をスクリーニングしたり、病変部に処置を施す等の作業が困難なため、実用上問題が生じる。また、光学性能があまり良くなく拡大観察時の物体分解能の面で物足りない。
【０００９】
特許文献５、６で提案されている顕微観察用の光学系は、倍率が固定で近接拡大観察のみが可能な光学系であるため、通常の内視鏡的な観察を行う光学系とは別体に設けられている。
【００１０】
実際に顕微観察する際は、顕微観察用光学系モジュールをスコープの処置具挿通チャンネルを通して被写体まで導かなければならない。そのため、内視鏡的観察から顕微観察に切り替える際にパララックスが生じ、見ている範囲を特定するのが難しくなる。さらに、顕微観察用の光学系は細径のため、観察したい部位に固定するのが困難である。このため、この顕微観察が可能なスコープは熟練した観察技術を要する特定の医師にしか使用されていない。
【００１１】
顕微観察時のスコープの安定感を得るため、処置具チャンネルとは別に、二つの光学系を一つの内視鏡にレイアウトすることも可能となるが、二本のスコープを一つにまとめたものと同等となり、特に外径の大型化を招き患者の負担は非常に大きなものとなる。
【００１２】
上記問題点を鑑み、特許文献７の一部、また、特許文献８に、内視鏡的な通常観察から顕微観察を行う近接拡大観察まで一つの光学系で対応が可能な対物光学系が提案されている。特許文献７に開示されている光学系は、最近点での最大倍率が低めであり顕微観察には物足りない。そのため、モニターでの観察を想定した場合、十分な倍率を得るには電子拡大を併用しなければならず、観察倍率は大きくなるものの、画像の解像度が低くなり画質劣化を招く恐れがある。
【００１３】
特許文献８に開示されている光学系は、最大倍率は十分であるものの、二つの群が動くことによって合焦している。そのため、複雑な構成の駆動機構を搭載する必要があり大型化の要因となる。また、可動レンズ群がそれぞれ全く独立に動くので、レンズ制御が難しくなるという欠点もある。
【００１４】
本発明は従来技術のこのような問題点に鑑みてなされたものであり、その目的は、内視鏡下での顕微観察が可能な拡大倍率を実現し、高精細な撮像素子に対応した高性能な撮像光学系を提供することである。また、別の目的は、小型のＣＣＤに対応したデジタルカメラや携帯電話用カメラにおいて高倍率撮影が可能なマクロレンズ等にも適用可能な光学系を提供することである。
【課題を解決するための手段】
【００１５】
上記課題を解決するための本発明の第１の発明は、少なくとも物体側から順に、正の第１群、第２群、第３群を有し、物点距離の変化に対し少なくとも前記第２群を光軸に沿って動かすことにより合焦を行う対物光学系であって、下記条件式を満足することを特徴とするものである。
【００１６】
｜β｜＞１．８                                                ・・・（１）
ただし、β：最至近合焦時の光学倍率、
である。
【００１７】
以下、本発明において上記構成をとる理由と作用を説明する。
【００１８】
通常の内視鏡観察から顕微観察までを１つの光学系で可能とするため、複数のレンズ群で構成すると共に、その複数のレンズ群の少なくとも１つが光軸上を移動することによって、通常の内視鏡観察から顕微観察を行う最至近物点における近接観察状態まで合焦を行えるように構成され、十分な顕微観察を行うための最近接時の最大倍率βは、条件式（１）を満足することが必要である。  
【００１９】
このような倍率を得られるレンズ構成としての第２の発明は、物体側から順に、正の第１群、負の第２群、正の第３群で構成され、物点距離の変化に対し前記第２群を光軸に沿って動かすことにより合焦を行う対物光学系であって、下記条件式を満足することを特徴とする。
【００２０】
｜β｜＞１．８                                                ・・・（１）
ただし、β：最至近合焦時の光学倍率、
である。
【００２１】
例えば、生体組織に発生した病変を細胞レベルで観察し、細胞配列の乱れ、細胞核の異常な肥厚、細胞核を取り巻く毛細血管の異常な増殖等、正常細胞が癌化するときに特異的に現れる現象の観察を可能とするには、最至近合焦時において少なくとも条件式（１）を満たし、数１０μｍから数１００μｍ四方の視野範囲において顕微観察に必要な分解能を確保することが必須となる。  
【００２２】
本発明の対物光学系を、高画素化された撮像素子と組み合わせた場合、条件式（１）を満たす光学系は、数μｍから数１０μｍの分解能が得られる。１９インチモニターに画像を表示して観察する場合を考えると、２００〜５００倍程度の倍率が得られ、細胞レベルでの観察が可能となる。これにより、細胞配列の乱れ、細胞核の異常な肥厚、細胞核を取り巻く毛細血管の異常な増殖等、正常細胞が癌化するときに特異的に現れる現象を観察することが可能になる。
【００２３】
条件式（１）を満足しないで｜β｜が１．８以下の場合、光学系で足りない倍率を電子ズーム等の電気的補正手段を用いて補うことも考えられるが、収差補正が高精度でなされている場合を除いては、画質が劣化してしまうため、病変の診断に利用する画像として好ましくない。  
【００２４】
このような顕微観察は、内視鏡先端部を観察したい部位に固定し接触させて観察するのが望ましい。非常に狭い範囲を高倍率で観察するため、生体組織に押し当てるようにすることでブレを防ぎ、安定した画像が得られる。
【００２５】
また、本発明の第３の発明は、物体側から順に、正の第１群、負の第２群、正の第３群で構成され、物点距離の変化に対し前記第２群を光軸に沿って動かすことにより合焦を行い、下記条件式を満足することを特徴とする。
【００２６】
０．７＜ｆ1 ／ｆ＜１．０                                      ・・・（２）
１．６２＜ｆ2 ／ｆ1 ＜２．７５                                ・・・（３）
ただし、ｆ：全系の焦点距離（遠点合焦点時）、
ｆ1 ：第１群の焦点距離、
ｆ2 ：第２群の焦点距離の絶対値、
である。
【００２７】
また、本発明の第４の発明は、物体側から順に、正の第１群、負の第２群、正の第３群で構成され、物点距離の変化に対し前記第２群を絞りと一体で光軸に沿って動かすことにより合焦を行い、下記条件式を満足することを特徴とする。
【００２８】
０．２５＜ｆ1 ／ｆ3 ＜０．４５                                ・・・（４）
ただし、ｆ1 ：第１群の焦点距離、
ｆ3 ：第３群の焦点距離、
である。
【００２９】
上記、第３、第４の発明の対物光学系は、正負正の３群で構成され、負の第２群を対物光学系の光軸方向に動かすことによって合焦を行っている。第２群を負の屈折力を有するレンズとし、その近傍に明るさ絞りを配置することで、可動レンズの外径を小型化することができる。このため、可動レンズを光軸方向に動かすための機構（例えば、可動レンズを保持するレンズ枠に接続され、そのレンズ枠に駆動力を与えるアクチュエーター等）を可動レンズの周囲に容易に配置することが可能になる。また、レンズの重量も小さくできるため、可動レンズを動かす機構にかかる負荷を低減することができる。
【００３０】
上記第３の発明にある条件式（２）は、第１群の焦点距離に関するものである。
【００３１】
０．７＜ｆ1 ／ｆ＜１．０                                      ・・・（２）
ただし、ｆ：通常観察時の全系の焦点距離（遠点合焦点時）、
ｆ1 ：第１群の焦点距離、
である。
【００３２】
条件式（２）の下限の０．７を越えると、像面湾曲が大きく発生し、通常観察状態で像面がマイナスとなり好ましくない。上限の１．０を越えると、全長が大きくなり、大型化を招くことになる。特に内視鏡の場合、撮像光学系の全長が長くなることは、すなわち内視鏡先端硬質部（湾曲しない部分）の長さが長くなることを意味するので、内視鏡を患者の体内に挿入するときの患者の負担が大きくなり好ましくない。
【００３３】
条件式（２）は、下記条件式（２’）のように上限を限定するとさらによい。
【００３４】
０．７＜ｆ1 ／ｆ＜０．９５                                  ・・・（２’）
全長に関しては、条件式（２）の範囲であることが望ましいが、本発明の対物光学系を内視鏡に搭載るためには上限を条件式（２’）の範囲まで限定するとさらに望ましい。
【００３５】
同様に、第３の発明にある条件式（３）は、第２群と第１群の焦点距離の比であり、球面収差と色収差補正に関する条件式である。
【００３６】
１．６２＜ｆ2 ／ｆ1 ＜２．７５                                ・・・（３）
ただし、ｆ1 ：第１群の焦点距離、
ｆ2 ：第２群の焦点距離の絶対値、
である。
【００３７】
条件式（３）の範囲を越えると、倍率の色収差補正ができず画質劣化を招く。下限の１．６２を越えて第２群の焦点距離が第１群の焦点距離に比べて相対的に小さくなりすぎると、Ｃラインがアンダー、Ｆラインがオーバーになり、条件式（３）の上限の２．７５を越えて第２群の焦点距離が相対的に大きくなると、逆にＣラインがオーバー、Ｆラインがアンダーになりすぎ好ましくない。また、条件式（３）の下限を越えた場合、球面収差と
軸上色収差にも影響が出てくる。このとき、球面収差はアンダーに、特に最近接観察時に大きく傾く。また、軸上色収差は、Ｆラインが補正過剰となり好ましくない。また、コマ収差についても補正困難となり好ましくない。
【００３８】
上記第４の発明にある条件式（４）は、第１群と第３群の焦点距離の比であり、色収差補正と像面湾曲補正に関するものである。
【００３９】
０．２５＜ｆ1 ／ｆ3 ＜０．４５                                ・・・（４）
ただし、ｆ1 ：第１群の焦点距離、
ｆ3 ：第３群の焦点距離、
である。
【００４０】
条件式（４）の範囲を越えると、通常観察時と最近接観察時において像面の変動が大きくなるため好ましくない。下限の０．２５を越えると、像面湾曲が通常観察時にオーバー、最近接観察時にアンダーとなる。また、上限の０．４５を越えると、逆に通常観察時にアンダー、最近接観察点時にオーバーとなる。
【００４１】
また、条件式（４）の上限を越えた場合、倍率色収差補正が困難となり、Ｃラインがアンダーに、Ｆラインがオーバーになりすぎ画質劣化を招く。
【００４２】
また、第１群と第２群の前後に配置される明るさ絞りは、負の屈折力を有する第２群と一体で移動するのが望ましい。このとき、遠点から最至近物点に合焦するように第２群を動かしていく際、明るさ絞りは第２群と共に物体側から像側に向かって移動する。
【００４３】
ここで、絞りが固定された状態を想定すると、最近接観察状態において負の第２群が射出瞳位置から遠ざかるため、周辺光束の光線高が正の第３群で高くなってしまい、この群のレンズの外径の大型化を招くので好ましくない。本発明のように、正負正の３群で構成された対物光学系において、負の第２群と明るさ絞りとを一体で移動させるように構成したことにより、正の第３群のレンズ外径を大型化することなく、コンパクトな対物光学系を実現することができる。
【００４４】
本発明において、さらに、条件式（５）を満足することが望ましい。
【００４５】
条件式（５）は、第３群と第２群の焦点距離の比であり、主に第２群に移動量に関する条件式である。
【００４６】
０．５＜ｆ2 ／ｆ3 ＜１．０                                    ・・・（５）
ただし、ｆ2 ：第２群の焦点距離の絶対値、
ｆ3 ：第３群の焦点距離、
である。
【００４７】
第２群の屈折力の強弱は移動量の大小に関係し、第２群の焦点距離が大きく、すなわち屈折力が小さくなり、条件式（５）の下限の０．５を越えると、第２群の移動量が大になり、特にレンズの駆動手段としてアクチュエーターを使用する場合には、レンズを駆動するストロークが長くなってしまい、アクチュエーターを含むレンズ駆動機構の大型化を招きかねず、また、複雑化を招く要因となる。条件式（５）の上限の１．０を越えて第２群の移動量が小となると、フォーカス感度が高くなりすぎる。特に最近接観察状態に近い物点では、わずかにレンズを動かしただけですぐに結像面が移動し、ピント合わせがしづらい光学系となってしまう。
【００４８】
さらに、条件式（５）の下限を越えると、第３群の焦点距離が大きくなるため対物レンズのバックフォーカスが長くなる。その結果、撮像素子を含めた撮像光学系として全長が長くなり大型化してしまうので好ましくない。
【００４９】
条件式（５）は、下記条件式（５’）のように限定すると、その効果がさらに大きくなる。
【００５０】
０．５７＜ｆ2 ／ｆ3 ＜０．９０                              ・・・（５’）
条件式（５）の下限を限定すると、フォーカス感度を低めに抑えることができ、さらに好ましい。また、上限を限定すると、全長の小型化により一層効果がある。
【００５１】
本発明において、さらに、条件式（６）を満足することが望ましい。
【００５２】
条件式（６）は、条件式（５）に関連して第２群の移動量を直接限定するものである。
【００５３】
０．０７＜Δ2G／ＬＴＬ＜０．２１                              ・・・（６）
ただし、Δ2G：遠点から最至近まで合焦した際の第２群の移動量、
ＬＴＬ：レンズ全長（第１面から撮像面までの距離）、
である。
【００５４】
条件式（６）の下限の０．０７を越えると、遠点である通常観察状態から最近点である近接拡大観察状態までの第２群の移動量が小さくなりすぎ、フォーカス感度が大きくなるため好ましくない。また、上限の０．２１を越えると、移動量が大きくなりすぎ、それに伴って全長が長くなるため好ましくない。
【００５５】
ここで、高画素化された撮像素子について、以下の条件式（７）を満足することが望ましい。
【００５６】
０．５＜（Ｐ／｜β｜）／ＩＨ＜２．０                          ・・・（７）
ただし、Ｐ：像面に配置される撮像素子の画素ピッチ（μｍ）、
β：最至近合焦時の光学倍率、
ＩＨ：像面に配置される撮像素子における最大像高（ｍｍ）、
である。
【００５７】
上記条件式（７）の下限の０．５を越えると、画素ピッチが細かくなって、より高画素化されるが、回折の影響を受けやすくなり、各物点位置において光学系の十分な観察深度が得られない。また、条件式（７）の上限の２．０を越えると、画素ピッチが大きくなり、高画素化された撮像素子とは言えない。しかも、高解像な画像を得ようとすると、非常に大きな光学倍率が必要となり現実的ではない。
【００５８】
本発明のような最近接拡大観察による顕微観察が可能な内視鏡対物光学系においても、通常観察時には広視野を確保し、病変部を発見するために生体内をスクリーニングしたり、病変部に処置を施す等の作業をする必要がある。そのためには、拡大観察時には高倍率を確保しつつ、通常観察時には下記条件式（８）を満足することが望ましい。
【００５９】
ω＞５０°                                                    ・・・（８）
ただし、ω：遠点時の最大画角（°）、
である。
【００６０】
この条件式（８）の範囲内であれば、近点への合焦機能のない内視鏡の診察と同程度の
視野範囲を通常観察での診断の際に確保することができ、顕微観察が可能な内視鏡対物光学系であっても広範囲な視野を確保できるため、通常の診断は問題なく行うことができる。
【００６１】
また、本発明の内視鏡対物光学系では、明るさ絞りが光軸上に移動する際、絞り径が一定であることが望ましい。可変絞りの機構を搭載すると、既にレンズ駆動のためのアクチュエータ等が配置されていることもあり、撮像光学系を収納する鏡枠の更なる太径化を招くことになり好ましくない。
【００６２】
また、本発明の対物光学系は、内視鏡以外でも活用できる。例えば、デジタルカメラの撮影等においても、等倍を超えるようなマクロ撮影を行う場合には、レンズ繰り出し量が大きくなることもあって、マクロコンバータレンズを装着することが多い。しかしながら、本発明の対物光学系を撮像光学系として用いることによって、マクロコンバータレンズを装着することなく、今までにない高倍率のマクロ撮影を行うことができる。  
【００６３】
また、一般的に、マクロレンズは、第１群が物体側に繰り出し、なおかつ複数群のフローティングによって合焦を行うが、本発明のレンズを用いると、インナーフォーカスでのマクロ撮影が可能となる。そのため、ワーキングディスタンスを決めてから撮影する場合には有利である。  
【００６４】
さらに、携帯電話用のカメラに本発明を適用すれば、手軽にマクロ撮影が楽しめるようになる。
【発明の効果】
【００６５】
本発明によれば、内視鏡下での顕微観察が可能な拡大倍率を実現し、高精細な撮像素子に対応した高性能な撮像光学系を提供し得る。また、小型のＣＣＤに対応したデジタルカメラや携帯電話用カメラにおいて、高倍率撮影が可能なマクロレンズ等にも適用することができる。  
【発明を実施するための最良の形態】
【００６６】
次に、本発明の内視鏡対物光学系の実施の形態を下記実施例に基づいて説明する。
【００６７】
実施例１
本実施例の内視鏡対物光学系の構成を示す光軸を通る断面図を図１に示す。また、本実施例の数値データを後記する表１に、その通常観察状態（ａ）、中間状態（ｂ）、最近接観察状態（ｃ）の３状態における変動パラメータの値を表２に示す。後記する数値データにおいては、物体側から数えた光学面の面番号を“Ｎｏ”で示してあり、曲率半径は“ｒ”で、面間隔又は空気間隔は“ｄ”で、ｅ線の屈折率は“ｎe ”で、アッベ数は“ｖd ”でそれぞれ示してある。曲率半径及び面間隔はｍｍ単位である。また、図１では、面番号“Ｎｏ”が１、２、３、・・・・の光学面はｒ1 、ｒ2 、ｒ3 、・・・・で、面番号Ｎｏ１と２、２と３、３と４、・・・・の間の面間隔又は空気間隔はｄ1 、ｄ2 、ｄ3 、・・・・で示してある。以下、同じ。
【００６８】
本実施例の内視鏡対物光学系は、物体側より順に、正の屈折力の第１群Ｇ１、負の屈折力の第２群Ｇ２、正の屈折力の第３群Ｇ３で構成されている。第１群Ｇ１は、物体側より順に、平凹負レンズ、像側に凸面を向けた正メニスカスレンズと像側に凸面を向けた負メニスカスレンズとを貼り合せた正の接合レンズ、両凸正レンズと像側に凸面を向けた負メニスカスレンズとを貼り合せた正の接合レンズにより構成さている。第２群Ｇ２は、物体側より順に、両凹負レンズと物体側に凸面を向けた正メニスカスレンズとを貼り合せた負の接合レンズにて構成され、光軸上を像側に移動することにより通常観察状態から最近接
観察状態への合焦作用を持たせている。第１群Ｇ１と第２群Ｇ２の間に明るさ絞りＳが配置されており、合焦時には第２群Ｇ２と一体となって移動する。第３群Ｇ３は、物体側より順に、両凸正レンズと、両凸正レンズと像側に凸面を向けた負メニスカスレンズとを貼り合せた正の接合レンズにより構成されている。第１群Ｇ１には、平凹負レンズと物体側の接合レンズの間に平行平面板Ｆ１が配置されている。平行平面板Ｆ１は特定の波長、例えばＹＡＧレーザーの１０６０ｎｍ、半導体レーザーの８１０ｎｍあるいは近赤外領域の光等をカットするためのフィルターである。内視鏡対物光学系の像面Ｉ近傍には撮像素子が配置され、この内視鏡対物光学系と合わせて撮像光学系を構成している。撮像素子には、撮像面を保護するためのカバーガラスＣＧが貼り付けられている。
【００６９】
本実施例の撮像光学系は上記のように構成されると共に、条件式（１）から（８）の中の条件式（３）を除いて他は満たしている。また、第１群Ｇ１から第３群Ｇ３までの各群の焦点距離を適切な値にすることにより、画質劣化がなくコンパクトな撮像光学系を構成することができる。図９に夫々通常観察状態（ａ）、中間状態（ｂ）、最近接観察状態（ｃ）での収差曲線図を示してある。収差曲線図中、歪曲収差を除いて横軸は収差量（ｍｍ）である。ただし、“E-003 ”は“×１０-3”を意味する。また。歪曲収差の横軸は収差量（％）である。また、“ω”は画角（°）、“IH”は像高（ｍｍ）である。また、収差曲線の波長の単位はｎｍである。以下、同じ。
【００７０】
さらに、撮像素子には、上述した高画素化された撮像素子の条件式（７）を満たすものを採用したので、各物点において高精細な画像を得ることができる。
【００７１】
実施例２
本実施例の内視鏡対物光学系の構成を示す光軸を通る断面図を図２に示す。また、本実施例の数値データを後記する表３に、その通常観察状態（ａ）、中間状態（ｂ）、最近接観察状態（ｃ）の３状態における変動パラメータの値を表４に示す。
【００７２】
本実施例の内視鏡対物光学系は、物体側より順に、正の屈折力の第１群Ｇ１、負の屈折力の第２群Ｇ２、正の屈折力の第３群Ｇ３で構成されている。第１群Ｇ１は、物体側より順に、平凹負レンズ、像側に凸面を向けた正メニスカスレンズと像側に凸面を向けた負メニスカスレンズとを貼り合せた正の接合レンズ、両凸正レンズと像側に凸面を向けた負メニスカスレンズとを貼り合せた正の接合レンズにより構成さている。第２群Ｇ２は、物体側より順に、物体側に凸面を向けた負メニスカスレンズと物体側に凸面を向けた正メニスカスレンズとを貼り合せた負の接合レンズにて構成され、光軸上を像側に移動することにより通常観察状態から最近接観察状態への合焦作用を持たせている。第１群Ｇ１と第２群Ｇ２の間に明るさ絞りＳが配置されており、合焦時には第２群Ｇ２と一体となって移動する。第３群Ｇ３は、物体側より順に、両凸正レンズと、両凸正レンズと像側に凸面を向けた負メニスカスレンズとを貼り合せた正の接合レンズにより構成されている。第１群Ｇ１には、平凹負レンズと物体側の接合レンズの間に平行平面板Ｆ１が配置されている。平行平面板Ｆ１は特定の波長、例えばＹＡＧレーザーの１０６０ｎｍ、半導体レーザーの８１０ｎｍあるいは近赤外領域の光等をカットするためのフィルターである。内視鏡対物光学系の像面Ｉ近傍には撮像素子が配置され、この内視鏡対物光学系と合わせて撮像光学系を構成している。撮像素子には、撮像面を保護するためのカバーガラスＣＧが貼り付けられている。
【００７３】
本実施例の撮像光学系は上記のように構成されると共に、条件式（１）から（８）全て満たしている。また、第１群Ｇ１から第３群Ｇ３までの各群の焦点距離を適切な値にすることにより、画質劣化がなくコンパクトな撮像光学系を構成することができる。図１０に図９と同様の本実施例の収差曲線図を示してある。
【００７４】
さらに、撮像素子には、上述した高画素化された撮像素子の条件式（７）を満たすものを採用したので、各物点において高精細な画像を得ることができる。
【００７５】
実施例３
本実施例の内視鏡対物光学系の構成を示す光軸を通る断面図を図３に示す。また、本実施例の数値データを後記する表５に、その通常観察状態（ａ）、中間状態（ｂ）、最近接観察状態（ｃ）の３状態における変動パラメータの値を表６に示す。
【００７６】
本実施例の内視鏡対物光学系は、物体側より順に、正の屈折力の第１群Ｇ１、負の屈折力の第２群Ｇ２、正の屈折力の第３群Ｇ３で構成されている。第１群Ｇ１は、物体側より順に、平凹負レンズ、像側に凸面を向けた正メニスカスレンズと像側に凸面を向けた負メニスカスレンズとを貼り合せた正の接合レンズ、物体側に凸面を向けた正メニスカスレンズにより構成さている。第２群Ｇ２は、物体側より順に、像側に凸面を向けた正メニスカスレンズと両凹負レンズとを貼り合せた負の接合レンズにて構成され、光軸上を像側に移動することにより通常観察状態から最近接観察状態への合焦作用を持たせている。第１群Ｇ１と第２群Ｇ２の間に明るさ絞りＳが配置されており、合焦時には第２群Ｇ２と一体となって移動する。第３群Ｇ３は、物体側より順に、両凸正レンズと、両凸正レンズと両凹負レンズとを貼り合せた正の接合レンズにより構成されている。第１群Ｇ１には、平凹負レンズと接合レンズの間に平行平面板Ｆ１が配置されている。平行平面板Ｆ１は特定の波長、例えばＹＡＧレーザーの１０６０ｎｍ、半導体レーザーの８１０ｎｍあるいは近赤外領域の光等をカットするためのフィルターである。内視鏡対物光学系の像面Ｉ近傍には撮像素子が配置され、この内視鏡対物光学系と合わせて撮像光学系を構成している。撮像素子には、撮像面を保護するためのカバーガラスＣＧが貼り付けられている。
【００７７】
本実施例の撮像光学系は上記のように構成されると共に、条件式（１）から（８）の中の条件式（１）を除いて他は満たしている。条件式（１）を満たしていないため、最大倍率は若干小さめとなるが、画素ピッチの細かいＣＣＤ又はＣＭＯＳ等の撮像素子を想定しており、このような撮像素子に合わせて光学系は、第１群Ｇ１から第３群Ｇ３までの各群の焦点距離を適切な値にすることにより十分な収差補正がなされている。そのため、良好な画質が得られており、光学倍率が小さい分を電子拡大で補っても観察上全く支障はない。このように画質劣化がなくコンパクトな撮像光学系を構成することができる。図１１に図９と同様の本実施例の収差曲線図を示してある。
【００７８】
さらに、撮像素子には、上述した高画素化された撮像素子の条件式（７）を満たすものを採用したので、各物点において高精細な画像を得ることができる。
【００７９】
実施例４
本実施例の内視鏡対物光学系の構成を示す光軸を通る断面図を図４に示す。また、本実施例の数値データを後記する表７に、その通常観察状態（ａ）、中間状態（ｂ）、最近接観察状態（ｃ）の３状態における変動パラメータの値を表８に示す。
【００８０】
本実施例の内視鏡対物光学系は、物体側より順に、正の屈折力の第１群Ｇ１、負の屈折力の第２群Ｇ２、正の屈折力の第３群Ｇ３で構成されている。第１群Ｇ１は、物体側より順に、平凹負レンズ、物体側に凸面を向けた負メニスカスレンズ、像側に凸面を向けた正メニスカスレンズと像側に凸面を向けた負メニスカスレンズとを貼り合せた正の接合レンズ、両凸正レンズと像側に凸面を向けた負メニスカスレンズ正の接合レンズにより構成さている。第２群Ｇ２は、物体側より順に、両凹負レンズと像側に凸面を向けた正メニスカスレンズとを貼り合せた負の接合レンズにて構成され、光軸上を像側に移動することにより通常観察状態から最近接観察状態への合焦作用を持たせている。第１群Ｇ１と第２群Ｇ２の間に明るさ絞りＳが配置されており、合焦時には第２群Ｇ２と一体となって移動する
。第３群Ｇ３は、物体側より順に、両凸正レンズと、両凸正レンズと凹平負レンズとを貼り合せた正の接合レンズにより構成されている。第１群Ｇ１中、単レンズの負メニスカスレンズは特定の波長、例えばＹＡＧレーザーの１０６０ｎｍ、半導体レーザーの８１０ｎｍあるいは近赤外領域の光等をカットするためのフィルターである。内視鏡対物光学系の像面Ｉ近傍には撮像素子が配置され、この内視鏡対物光学系と合わせて撮像光学系を構成している。撮像素子には、撮像面を保護するためのカバーガラスＣＧが貼り付けられている。
【００８１】
本実施例の撮像光学系は上記のように構成されると共に、条件式（１）から（８）全て満たしている。また、第１群Ｇ１から第３群Ｇ３までの各群の焦点距離を適切な値にすることにより、画質劣化がなくコンパクトな撮像光学系を構成することができる。図１２に図９と同様の本実施例の収差曲線図を示してある。
【００８２】
さらに、撮像素子には、上述した高画素化された撮像素子の条件式（７）を満たすものを採用したので、各物点において高精細な画像を得ることができる。
【００８３】
実施例５
本実施例の内視鏡対物光学系の構成を示す光軸を通る断面図を図５に示す。また、本実施例の数値データを後記する表９に、その通常観察状態（ａ）、中間状態（ｂ）、最近接観察状態（ｃ）の３状態における変動パラメータの値を表１０に示す。
【００８４】
本実施例の内視鏡対物光学系は、物体側より順に、正の屈折力の第１群Ｇ１、負の屈折力の第２群Ｇ２、正の屈折力の第３群Ｇ３で構成されている。第１群Ｇ１は、物体側より順に、平凹負レンズ、両凸正レンズと像側に凸面を向けた負メニスカスレンズとを貼り合せた正の接合レンズ、両凸正レンズと像側に凸面を向けた負メニスカスレンズとを貼り合せた正の接合レンズにより構成さている。第２群Ｇ２は、物体側より順に、両凹負レンズと物体側に凸面を向けた正メニスカスレンズとを貼り合せた負の接合レンズにて構成され、光軸上を像側に移動することにより通常観察状態から最近接観察状態への合焦作用を持たせている。第１群Ｇ１と第２群Ｇ２の間に明るさ絞りＳが配置されており、合焦時には第２群Ｇ２と一体となって移動する。第３群Ｇ３は、物体側より順に、両凸正レンズと、両凸正レンズと、両凹負レンズとにより構成されている。第１群Ｇ１には、平凹負レンズと物体側の接合レンズの間に平行平面板Ｆ１が配置されている。平行平面板Ｆ１は特定の波長、例えばＹＡＧレーザーの１０６０ｎｍ、半導体レーザーの８１０ｎｍあるいは近赤外領域の光等をカットするためのフィルターである。内視鏡対物光学系の像面Ｉ近傍には撮像素子が配置され、この内視鏡対物光学系と合わせて撮像光学系を構成している。撮像素子には、撮像面を保護するためのカバーガラスＣＧが貼り付けられている。
【００８５】
本実施例の撮像光学系は上記のように構成されると共に、条件式（１）から（８）全て満たしている。また、第１群Ｇ１から第３群Ｇ３までの各群の焦点距離を適切な値にすることにより、画質劣化がなくコンパクトな撮像光学系を構成することができる。図１３に図９と同様の本実施例の収差曲線図を示してある。
【００８６】
さらに、撮像素子には、上述した高画素化された撮像素子の条件式（７）を満たすものを採用したので、各物点において高精細な画像を得ることができる。
【００８７】
実施例６
本実施例の内視鏡対物光学系の構成を示す光軸を通る断面図を図６に示す。また、本実施例の数値データを後記する表１１に、その通常観察状態（ａ）、中間状態（ｂ）、最近接観察状態（ｃ）の３状態における変動パラメータの値を表１２に示す。
【００８８】
本実施例の内視鏡対物光学系は、物体側より順に、正の屈折力の第１群Ｇ１、負の屈折力の第２群Ｇ２、正の屈折力の第３群Ｇ３で構成されている。第１群Ｇ１は、物体側より順に、平凹負レンズ、像側に凸面を向けた正メニスカスレンズと像側に凸面を向けた負メニスカスレンズとを貼り合せた正の接合レンズ、両凸正レンズと像側に凸面を向けた負メニスカスレンズとを貼り合せた正の接合レンズにより構成さている。第２群Ｇ２は、物体側より順に、平凹負レンズと物体側に凸面を向けた正メニスカスレンズとを貼り合せた負の接合レンズにて構成され、光軸上を像側に移動することにより通常観察状態から最近接観察状態への合焦作用を持たせている。第１群Ｇ１と第２群Ｇ２の間に明るさ絞りＳが配置されており、合焦時には第２群Ｇ２と一体となって移動する。第３群Ｇ３は、物体側より順に、両凸正レンズと、両凸正レンズと、両凹負レンズとにより構成されている。第１群Ｇ１には、平凹負レンズと物体側の接合レンズの間に平行平面板Ｆ１が配置されている。また、第３群Ｇ３の像側には平行平面板Ｆ２が配置されている。平行平面板Ｆ１、Ｆ２は特定の波長、例えばＹＡＧレーザーの１０６０ｎｍ、半導体レーザーの８１０ｎｍあるいは近赤外領域の光等をカットするためのフィルターである。内視鏡対物光学系の像面Ｉ近傍には撮像素子が配置され、この内視鏡対物光学系と合わせて撮像光学系を構成している。撮像素子には、撮像面を保護するためのカバーガラスＣＧが貼り付けられている。
【００８９】
本実施例の撮像光学系は上記のように構成されると共に、条件式（１）から（８）全て満たしている。また、第１群Ｇ１から第３群Ｇ３までの各群の焦点距離を適切な値にすることにより、画質劣化がなくコンパクトな撮像光学系を構成することができる。図１４に図９と同様の本実施例の収差曲線図を示してある。
【００９０】
さらに、撮像素子には、上述した高画素化された撮像素子の条件式（７）を満たすものを採用したので、各物点において高精細な画像を得ることができる。
【００９１】
実施例７
本実施例の内視鏡対物光学系の構成を示す光軸を通る断面図を図７に示す。また、本実施例の数値データを後記する表１３に、その通常観察状態（ａ）、中間状態（ｂ）、最近接観察状態（ｃ）の３状態における変動パラメータの値を表１４に示す。
【００９２】
本実施例の内視鏡対物光学系は、物体側より順に、正の屈折力の第１群Ｇ１、負の屈折力の第２群Ｇ２、正の屈折力の第３群Ｇ３で構成されている。第１群Ｇ１は、物体側より順に、平凹負レンズ、両凸正レンズと像側に凸面を向けた負メニスカスレンズとを貼り合せた正の接合レンズ、両凸正レンズと像側に凸面を向けた負メニスカスレンズとを貼り合せた正の接合レンズにより構成さている。第２群Ｇ２は、物体側より順に、物体側に凸面を向けた負メニスカスレンズと物体側に凸面を向けた正メニスカスレンズとを貼り合せた負の接合レンズにて構成され、光軸上を像側に移動することにより通常観察状態から最近接観察状態への合焦作用を持たせている。第１群Ｇ１と第２群Ｇ２の間に明るさ絞りＳが配置されており、合焦時には第２群Ｇ２と一体となって移動する。第３群Ｇ３は、物体側より順に、両凸正レンズと、両凸正レンズと、両凹負レンズとにより構成されている。第１群Ｇ１には、平凹負レンズと物体側の接合レンズの間に平行平面板Ｆ１が配置されている。また、第３群Ｇ３の像側には平行平面板Ｆ２が配置されている。平行平面板Ｆ１、Ｆ２は特定の波長、例えばＹＡＧレーザーの１０６０ｎｍ、半導体レーザーの８１０ｎｍあるいは近赤外領域の光等をカットするためのフィルターである。内視鏡対物光学系の像面Ｉ近傍には撮像素子が配置され、この内視鏡対物光学系と合わせて撮像光学系を構成している。撮像素子には、撮像面を保護するためのカバーガラスＣＧが貼り付けられている。
【００９３】
本実施例の撮像光学系は上記のように構成されると共に、条件式（１）から（８）全て満たしている。また、第１群Ｇ１から第３群Ｇ３までの各群の焦点距離を適切な値にすることにより、画質劣化がなくコンパクトな撮像光学系を構成することができる。図１５に
図９と同様の本実施例の収差曲線図を示してある。
【００９４】
さらに、撮像素子には、上述した高画素化された撮像素子の条件式（７）を満たすものを採用したので、各物点において高精細な画像を得ることができる。
【００９５】
実施例８
本実施例の内視鏡対物光学系の構成を示す光軸を通る断面図を図８に示す。また、本実施例の数値データを後記する表１５に、その通常観察状態（ａ）、中間状態（ｂ）、最近接観察状態（ｃ）の３状態における変動パラメータの値を表１６に示す。
【００９６】
本実施例の内視鏡対物光学系は、物体側より順に、正の屈折力の第１群Ｇ１、負の屈折力の第２群Ｇ２、正の屈折力の第３群Ｇ３で構成されている。第１群Ｇ１は、物体側より順に、平凹負レンズ、像側に凸面を向けた正メニスカスレンズと像側に凸面を向けた負メニスカスレンズとを貼り合せた正の接合レンズ、両凸正レンズと像側に凸面を向けた負メニスカスレンズとを貼り合せた正の接合レンズにより構成さている。第２群Ｇ２は、物体側より順に、両凹負レンズと物体側に凸面を向けた正メニスカスレンズとを貼り合せた負の接合レンズにて構成され、光軸上を像側に移動することにより通常観察状態から最近接観察状態への合焦作用を持たせている。第１群Ｇ１と第２群Ｇ２の間に明るさ絞りＳが配置されており、合焦時には第２群Ｇ２と一体となって移動する。第３群Ｇ３は、物体側より順に、両凸正レンズと、両凸正レンズと像側に凸面を向けた負メニスカスレンズとを貼り合せた正の接合レンズにより構成されている。第１群Ｇ１には、平凹負レンズと物体側の接合レンズの間に平行平面板Ｆ１が配置されている。平行平面板Ｆ１は特定の波長、例えばＹＡＧレーザーの１０６０ｎｍ、半導体レーザーの８１０ｎｍあるいは近赤外領域の光等をカットするためのフィルターである。内視鏡対物光学系の像面Ｉ近傍には撮像素子が配置され、この内視鏡対物光学系と合わせて撮像光学系を構成している。撮像素子には、撮像面を保護するためのカバーガラスＣＧが貼り付けられている。
【００９７】
本実施例の撮像光学系は上記のように構成されると共に、条件式（１）から（８）全て満たしている。また、第１群Ｇ１から第３群Ｇ３までの各群の焦点距離を適切な値にすることにより、画質劣化がなくコンパクトな撮像光学系を構成することができる。図１６に図９と同様の本実施例の収差曲線図を示してある。
【００９８】
さらに、撮像素子には、上述した高画素化された撮像素子の条件式（７）を満たすものを採用したので、各物点において高精細な画像を得ることができる。
【００９９】
以下の表１〜表１６に、上記実施例１〜８の数値データとパラメータを示す。記号は、上記の他、焦点距離はＦＤ、物点距離はＯＤ、ＦナンバーはＦＮｏ、通常観察状態はＮＰ、中間状態はＭＰ、最近接観察状態はＣＰで示す。
【０１００】
表１（実施例１）
Ｎｏ          ｒ          ｄ        ｎe         ｖd   
1            ∞         0.3200     1.88814     40.78 
2            1.3704     0.4520                       
3            ∞         0.3100     1.51564     75.00 
4            ∞         1.8470                       
5          -10.6402     1.0380     1.82017     46.62 
6           -1.5020     0.2800     1.93429     18.90 
7           -2.3221     0.0200                       
8            2.1477     0.7040     1.48915     70.23 
9           -2.2494     0.2400     1.85504     23.78 
10           -4.7343     D10                          
11（絞り）    ∞         0.0160                       
12           -3.3558     0.2400     1.77621     49.60 
13            0.6995     0.5500     1.85504     23.78 
14            1.6703     D14                          
15            7.2107     1.2280     1.48915     70.23 
16           -2.1635     0.0400                       
17            2.6506     1.5800     1.48915     70.23 
18           -2.3866     0.2800     1.93429     18.90 
19          -18.7551     1.9540                       
20            ∞         1.2000     1.51825     64.14 
21（像面）    ∞                                                            。
【０１０１】
表２（実施例１）
パラメータ    ＮＰ            ＭＰ            ＣＰ
ＦＤ           1.317           1.559           1.567
ＦＮｏ         6.082           6.612           7.834
ＯＤ          12.50            1.88            0.00 
D10            0.168           0.533           1.400
D14            1.504           1.139           0.272
ＩＨ：1.2mm 
β  ：-2.00 
Ｐ  ：2.8 μm                                                               。
【０１０２】
表３（実施例２）
Ｎｏ          ｒ          ｄ        ｎe         ｖd   
1            ∞         0.320      1.88814     40.78 
2            0.9858     0.874                        
3            ∞         0.310      1.51564     75.00 
4            ∞         0.941                        
5           -4.8526     1.038      1.82017     46.62 
6           -1.5020     0.280      1.93429     18.90 
7           -1.9928     0.020                        
8            3.0108     0.860      1.48915     70.23 
9           -1.9465     0.240      1.85504     23.78 
10           -4.1423     D10                          
11（絞り）    ∞         0.016                        
12           20.2767     0.240      1.77621     49.60 
13            0.9664     0.550      1.85504     23.78 
14            1.8050     D14                          
15            5.8416     1.158      1.48915     70.23 
16           -2.5464     0.110                        
17            6.1872     1.629      1.56606     60.67 
18           -2.0860     0.280      1.93429     18.90 
19          -12.0725     1.468                        
20            ∞         1.220      1.51825     64.14 
21（像面）    ∞                                                            。
【０１０３】
表４（実施例２）
パラメータ    ＮＰ            ＭＰ            ＣＰ
ＦＤ           1.298           1.429           1.363
ＦＮｏ         7.541           7.689           8.201
ＯＤ          12.50            1.88            0.00 
D10            0.168           0.635           2.296
D14            2.368           1.901           0.240
ＩＨ：1.2mm 
β  ：-2.13 
Ｐ  ：3.2 μm                                                               。
【０１０４】
表５（実施例３）
Ｎｏ          ｒ          ｄ        ｎe         ｖd   
1            ∞         0.320      1.88814     40.78 
2            1.3317     0.800                        
3            ∞         0.310      1.51564     75.00 
4            ∞         1.791                        
5          -81.4733     1.038      1.82017     46.62 
6           -1.5020     0.280      1.93429     18.90 
7           -2.8526     0.020                        
8            2.4750     0.500      1.48915     70.23 
9          127.6395     D9                           
10（絞り）    ∞         0.015                        
11          -15.3349     0.448      1.85504     23.78 
12           -1.2758     0.475      1.77621     49.60 
13            2.2060     D13                          
14            4.0011     1.023      1.48915     70.23 
15           -3.5513     0.040                        
16            2.3078     1.382      1.48915     70.23 
17           -3.4525     0.280      1.93429     18.90 
18            5.2124     0.967                        
19            ∞         1.350      1.51825     64.14 
20（像面）    ∞                                                            。
【０１０５】
表６（実施例３）
パラメータ    ＮＰ            ＭＰ            ＣＰ
ＦＤ           1.380           1.462           1.377
ＦＮｏ         7.552           7.647           7.885
ＯＤ          12.50            2.00            0.00 
D9             0.245           0.648           1.835
D13            2.602           2.199           1.012
ＩＨ：1.2mm 
β  ：-1.65 
Ｐ  ：2.1 μm                                                               。
【０１０６】
表７（実施例４）
Ｎｏ          ｒ          ｄ        ｎe         ｖd   
1            ∞         0.320      1.88814     40.78 
2            1.1392     1.750                        
3            5.2800     0.310      1.51564     75.00 
4            2.8470     0.295                        
5          -22.1047     1.038      1.82017     46.62 
6           -1.5020     0.280      1.93429     18.90 
7           -2.4207     0.020                        
8            3.7480     0.730      1.48915     70.23 
9           -2.7666     0.240      1.85504     23.78 
10           -3.8129     D10                          
11（絞り）    ∞         0.020                        
12          -22.7856     0.240      1.77621     49.60 
13            0.9533     0.513      1.85504     23.78 
14            1.8529     D14                          
15           10.5496     0.932      1.48915     70.23 
16           -2.6945     0.040                        
17            3.3427     1.016      1.48915     70.23 
18           -4.2610     0.280      1.93429     18.90 
19            ∞         3.232                        
20            ∞         1.350      1.51825     64.14 
21（像面）    ∞                                                            。
【０１０７】
表８（実施例４）
パラメータ    ＮＰ            ＭＰ            ＣＰ
ＦＤ           1.348           1.617           1.565
ＦＮｏ         6.797           7.378           9.143
ＯＤ          12.50            1.88            0.00 
D10            0.168           0.770           2.460
D14            2.424           1.822           0.132
ＩＨ：1.2mm 
β  ：-2.60 
Ｐ  ：3.2 μm                                                               。
【０１０８】
表９（実施例５）
Ｎｏ          ｒ          ｄ        ｎe         ｖd   
1            ∞         0.320      1.88814     40.78 
2            1.0920     0.874                        
3            ∞         0.310      1.51564     75.00 
4            ∞         1.341                        
5         8193.6408     1.038      1.82017     46.62 
6           -1.9112     0.280      1.93429     18.90 
7           -2.4683     0.020                        
8            3.1410     0.926      1.48915     70.23 
9           -2.0897     0.240      1.85504     23.78 
10           -5.5191     D10                          
11（絞り）    ∞         0.015                        
12          -21.0571     0.280      1.77621     49.60 
13            0.9616     0.480      1.85504     23.78 
14            1.7815     D14                          
15            7.5218     0.802      1.48915     70.23 
16           -2.8584     0.111                        
17            2.9704     0.980      1.51825     64.14 
18           -7.1080     0.100                        
19           -5.6050     0.280      1.93429     18.90 
20           11.8650     2.522                        
21            ∞         1.500      1.51825     64.14 
22（像面）    ∞                                                            。
【０１０９】
表１０（実施例５）
パラメータ    ＮＰ            ＭＰ            ＣＰ
ＦＤ           1.573           1.766           1.428
ＦＮｏ         7.524           7.960           9.317
ＯＤ          12.50            1.88            0.00 
D10            0.168           0.676           2.288
D14            2.374           1.866           0.254
ＩＨ：1.2mm 
β  ：-2.81 
Ｐ  ：3.5 μm                                                               。
【０１１０】
表１１（実施例６）
Ｎｏ          ｒ          ｄ        ｎe         ｖd   
1            ∞         0.380      1.88814     40.78 
2            0.9874     0.538                        
3            ∞         0.420      1.51564     75.00 
4            ∞         0.725                        
5           -6.1755     1.300      1.77621     49.60 
6           -1.3747     0.320      1.93429     18.90 
7           -2.0667     0.020                        
8            2.9281     1.080      1.48915     70.23 
9           -1.7301     0.300      2.01169     23.78 
10           -2.6722     D10                          
11（絞り）    ∞         0.016                        
12            ∞         0.220      1.77621     49.60 
13            0.9752     0.390      1.85504     23.78 
14            1.5469     D14                          
15            4.1576     1.143      1.48915     70.23 
16           -3.6602     0.046                        
17            2.9525     1.155      1.75844     52.32 
18           -7.1726     0.195                        
19           -4.0923     0.360      1.93429     18.90 
20            4.9202     0.570                        
21            ∞         0.400      1.52498     59.89 
22            ∞         0.600                        
23            ∞         1.800      1.51825     64.14 
24（像面）    ∞                                                            。
【０１１１】
表１２（実施例６）
パラメータ    ＮＰ            ＭＰ            ＣＰ
ＦＤ           1.242           1.520           1.226
ＦＮｏ         8.517           9.456          11.436
ＯＤ          13.50            1.35            0.00 
D10            0.160           0.869           2.417
D14            2.546           1.837           0.289
ＩＨ：1.06mm
β  ：-2.71 
Ｐ  ：4.2 μm                                                               。
【０１１２】
表１３（実施例７）
Ｎｏ          ｒ          ｄ        ｎe         ｖd   
1            ∞         0.280      1.88814     40.78 
2            0.9473     0.500                        
3            ∞         0.400      1.51564     75.00 
4            ∞         1.000                        
5            6.9425     1.000      1.59143     61.14 
6           -1.3398     0.520      1.93429     18.90 
7           -1.8321     0.015                        
8            3.0694     0.897      1.48915     70.23 
9           -1.6461     0.200      2.01169     28.27 
10           -3.2015     D10                          
11（絞り）    ∞         0.02                         
12           11.3687     0.176      1.77621     49.60 
13            1.0145     0.200      1.85504     23.78 
14            1.5239     D14                          
15           11.4412     0.876      1.48915     70.23 
16           -2.4314     0.050                        
17            2.2561     1.000      1.49846     81.54 
18           -9.0813     0.170                        
19           -5.5265     0.284      1.93429     18.90 
20            6.8860     0.250                        
21            ∞         0.270      1.52498     59.89 
22            ∞         1.526                        
23            ∞         1.080      1.51825     64.14 
24（像面）    ∞                                                            。
【０１１３】
表１４（実施例７）
パラメータ    ＮＰ            ＭＰ            ＣＰ
ＦＤ           1.271           1.512           1.216
ＦＮｏ         8.079           8.661          10.200
ＯＤ          13.50            1.28            0.00 
D10            0.128           0.853           2.587
D14            2.587           1.862           0.128
ＩＨ：1.06mm
β  ：-2.79 
Ｐ  ：4.8 μm                                                               。
【０１１４】
表１５（実施例８）
Ｎｏ          ｒ          ｄ        ｎe         ｖd   
1            ∞         0.320      1.88814     40.78 
2            1.3186     0.550                        
3            ∞         0.310      1.51564     75.00 
4            ∞         1.656                        
5          -13.4783     1.038      1.82017     46.62 
6           -1.5020     0.280      1.93429     18.90 
7           -2.3537     0.020                        
8            2.4400     0.659      1.48915     70.23 
9           -2.1307     0.240      1.85504     23.78 
10           -4.0769     D10                          
11（絞り）    ∞         0.016                        
12           -6.1895     0.240      1.77621     49.60 
13            0.7967     0.550      1.85504     23.78 
14            1.5453     D14                          
15            9.1245     1.276      1.48915     70.23 
16           -2.2055     0.040                        
17            2.5086     1.670      1.48915     70.23 
18           -2.6699     0.280      1.93429     18.90 
19         -167.6532     1.545                        
20            ∞         1.350      1.51825     64.14 
21（像面）    ∞                                                            。
【０１１５】
表１６（実施例８）
パラメータ    ＮＰ            ＭＰ            ＣＰ
ＦＤ           1.321           1.520           1.492          
ＦＮｏ         5.515           5.892           6.834          
ＯＤ          12.50            1.88            0.00           
D10            0.168           0.534           1.479          
D14            1.609           1.243           0.298          
ＩＨ：1.20mm
β  ：-1.97 
Ｐ  ：2.8 μm                                                               。
【０１１６】
また、表１７に、各実施例の構成における条件式（１）から（８）の数値を示す。
表１７
条件式    （１）  （２）  （３）  （４）  （５）  （６）  （７）  （８）
実施例１  -2.00    0.75    1.53    0.39    0.59    0.09    1.17    64.1 
実施例２  -2.13    0.92    2.49    0.35    0.86    0.15    1.25    64.6 
実施例３  -1.65    0.88    2.37    0.36    0.85    0.11    1.06    65.5 
実施例４  -2.60    0.92    1.97    0.36    0.71    0.15    1.03    65.6 
実施例５  -2.81    0.77    1.91    0.35    0.67    0.14    1.04    52.4 
実施例６  -2.71    0.93    1.86    0.40    0.74    0.15    1.46    65.6 
実施例７  -2.79    0.94    2.08    0.38    0.79    0.18    1.62    65.1 
実施例８  -1.97    0.78    1.64    0.39    0.64    0.09    1.19    65.3 
。
【０１１７】
本発明の対物光学系は、例えば次のように構成することができる。
【０１１８】
〔１〕  少なくとも物体側から順に、正の第１群、第２群、第３群を有し、物点距離の変化に対し少なくとも前記第２群を光軸に沿って動かすことにより合焦を行う対物光学系であって、下記条件式を満足することを特徴とする対物光学系。
【０１１９】
｜β｜＞１．８                                                ・・・（１）
ただし、β：最至近合焦時の光学倍率、
である。
【０１２０】
〔２〕  物体側から順に、正の第１群、負の第２群、正の第３群で構成され、物点距離の変化に対し前記第２群を光軸に沿って動かすことにより合焦を行い、下記条件式を満足することを特徴とする対物光学系。
【０１２１】
｜β｜＞１．８                                                ・・・（１）
ただし、β：最至近合焦時の光学倍率、
である。
【０１２２】
〔３〕  物体側から順に、正の第１群、負の第２群、正の第３群で構成され、物点距離の変化に対し前記第２群を光軸に沿って動かすことにより合焦を行い、下記条件式を満足することを特徴とする対物光学系。
【０１２３】
０．７＜ｆ1 ／ｆ＜１．０                                      ・・・（２）
１．６２＜ｆ2 ／ｆ1 ＜２．７５                                ・・・（３）
ただし、ｆ：全系の焦点距離（遠点合焦点時）、
ｆ1 ：第１群の焦点距離、
ｆ2 ：第２群の焦点距離の絶対値、
である。
【０１２４】
〔４〕  物体側から順に、正の第１群、負の第２群、正の第３群で構成され、物点距離の変化に対し前記第２群を絞りと一体で光軸に沿って動かすことにより合焦を行い、下記条件式を満足することを特徴とする対物光学系。
【０１２５】
０．２５＜ｆ1 ／ｆ3 ＜０．４５                                ・・・（４）
ただし、ｆ1 ：第１群の焦点距離、
ｆ3 ：第３群の焦点距離、
である。
【０１２６】
〔５〕  内視鏡に用いられることを特徴とする上記１〜４の何れか１項記載の対物光学系。
【０１２７】
〔６〕  下記条件式を満足することを特徴とする上記１、２、４、５の何れか１項記載の対物光学系。
【０１２８】
０．７＜ｆ1 ／ｆ＜１．０                                      ・・・（２）
ただし、ｆ：全系の焦点距離（遠点合焦点時）、
ｆ1 ：第１群の焦点距離、
である。
【０１２９】
〔７〕  下記条件式を満足することを特徴とする上記１〜６の何れか１項記載の対物光学系。
【０１３０】
０．７＜ｆ1 ／ｆ＜０．９５                                  ・・・（２’）
ただし、ｆ：全系の焦点距離（遠点合焦点時）、
ｆ1 ：第１群の焦点距離、
である。
【０１３１】
〔８〕  下記条件式を満足することを特徴とする上記１、２、４、５、６、７の何れか１項記載の対物光学系。
【０１３２】
１．６２＜ｆ2 ／ｆ1 ＜２．７５                                ・・・（３）
ただし、ｆ1 ：第１群の焦点距離、
ｆ2 ：第２群の焦点距離の絶対値、
である。
【０１３３】
〔９〕  下記条件式を満足することを特徴とする上記１、２、３、５、６、７、８の何れか１項記載の対物光学系。
【０１３４】
０．２５＜ｆ1 ／ｆ3 ＜０．４５                                ・・・（４）
ただし、ｆ1 ：第１群の焦点距離、
ｆ3 ：第３群の焦点距離、
である。
【０１３５】
〔１０〕  下記条件式を満足することを特徴とする上記１〜９の何れか１項記載の対物光学系。
【０１３６】
０．５＜ｆ2 ／ｆ3 ＜１．０                                    ・・・（５）
ただし、ｆ2 ：第２群の焦点距離の絶対値、
ｆ3 ：第３群の焦点距離、
である。
【０１３７】
〔１１〕  下記条件式を満足することを特徴とする上記１０記載の対物光学系。
【０１３８】
０．５７＜ｆ2 ／ｆ3 ＜０．９０                              ・・・（５’）
〔１２〕  下記条件式を満足することを特徴とする上記１〜１１の何れか１項記載の対物光学系。
【０１３９】
０．０７＜Δ2G／ＬＴＬ＜０．２１                              ・・・（６）
ただし、Δ2G：遠点から最至近まで合焦した際の第２群の移動量、
ＬＴＬ：レンズ全長（第１面から撮像面までの距離）、
である。
【０１４０】
〔１３〕  下記条件式を満足することを特徴とする上記１〜１２の何れか１項記載の対物光学系。
【０１４１】
０．５＜（Ｐ／｜β｜）／ＩＨ＜２．０                          ・・・（７）
ただし、Ｐ：像面に配置される撮像素子の画素ピッチ（μｍ）、
β：最至近合焦時の光学倍率、
ＩＨ：像面に配置される撮像素子における最大像高（ｍｍ）、
である。
【０１４２】
〔１４〕  下記条件式を満足することを特徴とする上記１〜１３の何れか１項記載の対物光学系。
【０１４３】
ω＞５０°                                                    ・・・（８）
ただし、ω：遠点時の最大画角、
である。
【０１４４】
〔１５〕  絞りは前記第２群と一体で動くことを特徴とする上記１〜３、５〜１４の何れか１項記載の対物光学系。
【図面の簡単な説明】
【０１４５】
【図１】実施例１の内視鏡対物光学系の構成を示す断面図である。
【図２】実施例２の内視鏡対物光学系の構成を示す断面図である。
【図３】実施例３の内視鏡対物光学系の構成を示す断面図である。
【図４】実施例４の内視鏡対物光学系の構成を示す断面図である。
【図５】実施例５の内視鏡対物光学系の構成を示す断面図である。
【図６】実施例６の内視鏡対物光学系の構成を示す断面図である。
【図７】実施例７の内視鏡対物光学系の構成を示す断面図である。
【図８】実施例８の内視鏡対物光学系の構成を示す断面図である。
【図９】実施例１の収差曲線図である。
【図１０】実施例２の収差曲線図である。
【図１１】実施例３の収差曲線図である。
【図１２】実施例４の収差曲線図である。
【図１３】実施例５の収差曲線図である。
【図１４】実施例６の収差曲線図である。
【図１５】実施例７の収差曲線図である。
【図１６】実施例８の収差曲線図である。
【符号の説明】
【０１４６】
Ｇ１…第１群
Ｇ２…第２群
Ｇ３…第３群
Ｆ１、Ｆ２…平行平面板
ＣＧ…カバーガラス
Ｉ…像面
【図１】
0004653823.tif 000002
【図２】
0004653823.tif 000003
【図３】
0004653823.tif 000004
【図４】
0004653823.tif 000005
【図５】
0004653823.tif 000006
【図６】
0004653823.tif 000007
【図７】
0004653823.tif 000008
【図８】
0004653823.tif 000009
【図９】
0004653823.tif 000010
【図１０】
0004653823.tif 000011
【図１１】
0004653823.tif 000012
【図１２】
0004653823.tif 000013
【図１３】
0004653823.tif 000014
【図１４】
0004653823.tif 000015
【図１５】
0004653823.tif 000016
【図１６】
0004653823.tif 000017